(57)【要約】【課題】  機械的に検知される認識穴パターンを用いずにテープ媒体を識別できるようにする。【解決手段】  情報を磁気的に記憶する磁気セグメント１０２と、識別セグメント１０４とを備え、識別セグメント１０４が、媒体識別パターン１０８と識別セグメント１０４を検出するためのセグメント識別パターン１１０とを有するものである、テープドライブ装置用媒体１００を提供する。【選択図】        図１
2006048912.tif 000002
【特許請求の範囲】
【請求項１】
情報を磁気的に記憶する磁気セグメントと、識別セグメントとを備え、
該識別セグメントが、媒体識別パターンと該識別セグメントを検出するためのセグメント識別パターンとを有するものである、テープドライブ装置用媒体。
【請求項２】
端部セグメントを備え、前記識別セグメントは該端部セグメントに配置されている請求項１に記載の媒体。
【請求項３】
前記端部セグメントはリーダセグメントである請求項２に記載の媒体。
【請求項４】
前記端部セグメントは透明であり、前記媒体識別パターンおよび前記セグメント識別パターンのそれぞれは、少なくとも１つの不透明部分を備えている請求項２に記載の媒体。
【請求項５】
前記少なくとも１つの不透明部分はストライプの形態を有している請求項４に記載の媒体。
【請求項６】
前記媒体識別パターンの各ストライプは、１ビットの媒体識別情報を表している請求項５に記載の媒体。
【請求項７】
前記媒体識別パターンは該媒体のタイプを示している請求項１に記載の媒体。
【請求項８】
前記媒体識別パターンは該媒体の製造業者を示している請求項１に記載の媒体。
【請求項９】
前記媒体識別パターンは該媒体のシリアルナンバーを示している請求項１に記載の媒体。
【請求項１０】
前記媒体識別パターンは該媒体のグローバルに一意な識別子を示している請求項１に記載の媒体。
【請求項１１】
前記媒体識別パターンは、イネーブルまたはディスエーブルすべき前記テープドライブの機能を示している請求項１に記載の媒体。
【請求項１２】
前記媒体識別パターンは、該媒体の物理的な属性を示している請求項１に記載の媒体。
【請求項１３】
前記セグメント識別パターンは、前記媒体識別パターンと前記磁気セグメントとの間に配置されている請求項１に記載の媒体。
【請求項１４】
前記セグメント識別パターンは、同期ワードを伝達するものである請求項１に記載の媒体。
【請求項１５】
該媒体の前記磁気セグメントおよび端部セグメントは、スプライシングテープによって接続され、該スプライシングテープは、前記端部セグメントの端部上に延出し、前記セグメント識別パターンは前記端部セグメント上の前記端部外に配置されている請求項１に記載の媒体。
【請求項１６】
前記端部は不透明である請求項１５に記載の媒体。
【請求項１７】
第１のリールおよび第２のリールと、
データ記憶部分および端末部分を有しており、該端末部分は識別セグメントを有し該識別セグメントは媒体タイプ識別パターンおよび前記識別セグメントを検出するためのセグメント識別パターンを伝達する、前記第１のリールおよび前記第２のリールに巻き取られるテープ媒体と
を含んでなる、テープドライブ用テープカートリッジ。
【請求項１８】
前記セグメント識別パターンは、同期パターンである請求項１７に記載のテープカートリッジ。
【請求項１９】
前記媒体タイプ識別パターンは、該テープカートリッジの製造業者を示すものである請求項１７に記載のテープカートリッジ。
【請求項２０】
前記セグメント識別パターンは、前記データ記憶部分と前記媒体タイプ識別パターンとの間に配置されている請求項１７に記載のテープカートリッジ。
【請求項２１】
テープ媒体のためのテープドライブ装置であって、該テープ媒体は、情報を磁気的に変換する磁気セグメントおよび識別セグメントを有し、該識別セグメントは、媒体識別パターンおよびセグメント識別パターンを伝達するものであり、
装填された前記テープ媒体と該テープドライブ装置との間でデータを転送するデータ転送装置と、
前記識別セグメントを表す信号を提供する読み取り器と、
前記信号中の前記セグメント識別パターンを検出する検出器と、
前記セグメント識別パターンの前記検出に応答して、前記媒体識別パターンをデコードするデコーダと
を含んでなる、テープ媒体のためのテープドライブ装置。
【請求項２２】
前記セグメント識別パターンを検出するための参照パターンを記憶する不揮発性メモリをさらに含む請求項２１に記載のテープドライブ装置。
【請求項２３】
前記媒体識別パターンに符号化された前記媒体識別情報を記憶する記憶装置をさらに含む請求項２１に記載のテープドライブ装置。
【請求項２４】
ログを記憶する記憶装置をさらに含み、前記ログは、識別されたテープ媒体のそれぞれにログエントリを有し、該ログエントリは、少なくとも、前記媒体識別パターンをデコードすることによって前記デコーダにより提供される媒体識別情報を含んでいる請求項２１に記載のテープドライブ装置。
【請求項２５】
前記媒体識別情報は、前記テープ媒体の製造業者の識別子、前記テープ媒体のシリアルナンバー、および／または、前記テープ媒体のグローバルに一意な識別子を含むものである請求項２４記載のテープ媒体のためのテープドライブ装置。
【請求項２６】
時間基準をさらに含み、前記ログエントリは、前記時間基準から得られるタイムスタンプをさらに含んでいる請求項２４に記載のテープドライブ装置。
【請求項２７】
コントローラをさらに含み、該コントローラは、前記媒体識別パターンをデコードすることによって前記デコーダにより提供される予め規定されたコードワードに応答して、前記テープドライブの機能をイネーブルまたはディスエーブルするように適合されている請求項２１に記載のテープドライブ装置。
【請求項２８】
テープ媒体から媒体識別情報を読み出すための方法であって、該テープ媒体は、情報を磁気的に変換する磁気セグメントおよび識別セグメントを有し、該識別セグメントは、媒体識別パターンおよび前記識別セグメントの検出のためのセグメント識別パターンを伝達するものであり、
前記セグメント識別パターンを検出するステップと、
前記媒体識別パターンを読み出すステップと、
前記媒体識別パターンをデコードして、前記媒体識別情報を得るステップと
を含んでなる、テープ媒体から媒体識別情報を読み出すための方法。
【請求項２９】
前記セグメント識別パターンおよび前記媒体識別パターンは所定の空間的関係を有しており、前記所定の空間的関係を用いて前記媒体識別パターンを読み出すための読み出し位置を選択するステップをさらに含む請求項２８に記載の方法。
【請求項３０】
前記媒体識別情報をログに記録することをさらに含む請求項２８に記載の方法。
【請求項３１】
テープ媒体の品質保証および／または品質監視のために、前記ログを解析することをさらに含む請求項２８に記載の方法。
【請求項３２】
請求項２８に記載のテープ媒体から媒体識別情報を読み出す方法を実行するように動作可能なコンピュータプログラム製品。
【請求項３３】
一連の記憶媒体からデータを読み出すための装置であって、該一連の記憶媒体はデータ記憶部分および端末部分を有し、該端末部分は識別セグメントを有し、該識別セグメントは記憶媒体識別パターンおよび前記識別セグメントを検出するためのセグメント識別パターンを伝達するものであり、
装填された補助記憶媒体の前記データ記憶部分に対して情報を磁気的に変換する手段と、
前記識別セグメントを表す信号を提供する手段と、
前記信号中の前記セグメント識別パターンを検出する手段と、
前記セグメント識別パターンの検出に応答して、前記記憶媒体識別パターンをデコードする手段と
を含んでなる、一連の記憶媒体からデータを読み出すための装置。
【請求項３４】
前記信号中の前記セグメント識別パターンを検出するための参照パターンを記憶する不揮発性記憶方法をさらに含む請求項３３に記載の装置。
【請求項３５】
情報を磁気的に記憶する磁気部分と、
少なくとも２ビットの情報を伝達する光学的可読パターンと
を備えたテープ媒体。
【請求項３６】
透明部分を有し、前記パターンが該透明部分に配置されている請求項３５に記載のテープ媒体。
【請求項３７】
前記透明部分はテープリーダ部分である請求項３６に記載のテープ媒体。
【請求項３８】
前記透明部分はテープトレーラ部分である請求項３６記載のテープ媒体。
【請求項３９】
少なくとも２つの前記パターンを備えた請求項３５に記載のテープ媒体。
【請求項４０】
テープ媒体のテープカートリッジであって、該テープ媒体は、情報を磁気的に記憶する磁気部分と、少なくとも２ビットの情報を伝達する光学的可読パターンとを備えている、テープ媒体のテープカートリッジ。
【請求項４１】
前記情報は、前記テープ媒体および／または該テープカートリッジに関連するものである請求項４０に記載のテープカートリッジ。
【請求項４２】
複数の光学的に読み取り可能なパターンを指定するテープフォーマットであって、読み取り可能なパターンのそれぞれは少なくとも２ビットの情報を伝達するものであるテープフォーマット。
【請求項４３】
１以上の前記パターンを配置することができるテープ媒体の少なくとも一部をさらに指定するものである請求項４２に記載のテープフォーマット。
【発明の詳細な説明】
【技術分野】
【０００１】
本発明は、一般に磁気テープ媒体の分野に関し、より詳細にはテープ媒体の識別に関するが、これに限定されない。
【背景技術】
【０００２】
数十年間にわたり、情報はテープドライブを使用して磁気テープ媒体に記憶されてきた。当初より、磁気テープは、初期のフィルムプロジェクタのフィルムと同様に大型のリールに巻き取られている。さらに近年になると、通常、磁気テープはカートリッジまたはカセット内に収容されるようになり、カートリッジ内において供給リールから巻き取りリールまで内部的に延びる。このようなカートリッジの用途においては、通常、リーダテープ（leader tape）がリールに取り付けられている。そして、スプライシングテープ（splicing tape）によってリーダが磁気テープに接合され、磁気テープがリールに巻き付けられている。カートリッジには、供給リールのみを収容するものもあれば、供給リールおよび巻き取りリールを収容するものもある。
【０００３】
システムによっては、磁気テープに長さ方向のトラック（たとえば、テープが主に延びている方向に沿って延びるトラック）が記録されるものもあれば、テープが、磁気テープのパスが磁気テープ上のヘリカルストライプまたはトラックを変換するようにドラムに少なくとも一部巻かれているようなものもある。カートリッジによっては、カートリッジをテープドライブに挿入すると変位されて、（たとえば、テープガイドやテープ搬送機構や変換要素などの）テープドライブの動作要素に磁気テープを露出させる蓋などを有するものもあれば、カートリッジがテープドライブに装填されるとテープドライブの動作要素を延出させる窓などが作られているものもある。
【０００４】
テープドライブに挿入されると、テープ／カートリッジが特定のタイプのものであると識別されるいくつかの従来技術による技法が開発されている。
【０００５】
米国特許第６，３８５，００１号明細書には、透明な識別ウィンドウセグメントを有するテープ媒体が示されている。識別ウィンドウセグメントは、媒体が選択された線形速度で走行するときに、所定の媒体またはカートリッジ署名情報（cartridge signature）を提供するように選択された長さを有する。
【０００６】
たとえば、デジタル・オーディオ・テープ（以下、「ＤＡＴ」とよぶ）およびデジタル・データ・ストレージ（以下、「ＤＤＳ」とよぶ）テープを自動的に識別する技法が知られている。
【０００７】
ＤＡＴおよびＤＤＳの各テープカートリッジは、同じフォームファクタを有する。ＤＤＳテープ媒体は、主に、テープ媒体上のデータストレージの信頼性を高めた、テープ上の磁気コーティングの品質の点においてＤＡＴオーディオテープ媒体と異なる。ＤＡＴオーディオテープカセットは、ＤＤＳドライブへと物理的に収まり、ＤＡＴオーディオテープカセットに対してデータを読み書きすることが可能ではあるが、その信頼性はかなり低く、データが失われる可能性が高い。
【０００８】
英国特許出願第２２６６４０２号には、透明なスプライスまたはスプライシングテープを有し、リーダテープ上の透明なスプライスまたはスプライシングテープ上に配置された少なくとも１つの不透明ストライプを有することによりＤＤＳテープを自動的に認識して、ＤＤＳカートリッジを同一サイズのＤＡＴカートリッジと区別するテープ媒体が開示されている。このテープドライブは、光学センサの出力信号を監視することにより、テープ媒体のデータ記憶部分とリーダテープとの接合部を見つける回路を有する。センサ出力信号の状態の切り替わりが検出された場合には、このことは、不透明なストライプが存在し、カセットがＤＤＳタイプであることを示す。状態の切り替わりがない場合には、カセットがＤＤＳタイプではないことを示し、この場合には、テープドライブの書き込み禁止機構がアクティブ化されて、データがテープ媒体に書き込まれないようにしてそのデータが失われる可能性を低減する。
【０００９】
http://www.ecma.chから入手可能な規格ＥＣＭＡ−２８８（１９９９年６月）には、対応媒体認識システム（ＭＲＳ）が第９章第１６節に示されている。この規格によれば、透明ストライプと不透明ストライプとが交互になったパターンが、テープが物理的に始まる箇所、すなわち、リーダテープが磁気テープに接合する箇所において、スプライシングテープの全長に長手方向に沿って存在すべきである。不透明ストライプとリーダテープとを組み合わせた部分の光透過率は、最大で５％であるべきである。透明ストライプとリーダテープとを組み合わせた部分の光透過率は、最小で６０％であるべきである。規格ＥＣＭＡ−２８８の付録Ｂには、テープの光透過率を測定する測定機器および測定方法についての一般原理が示されている。
【００１０】
ＤＤＳテープ媒体とＤＡＴテープ媒体とを区別することに加えて、ＤＤＳテープ媒体の様々なフォーマット世代を自動的に検出する必要がある。前世代のＤＤＳカートリッジを区別することについての問題は、認識穴と呼ばれる、カートリッジシェルの４つの穴のパターンを検出することによって対処される。ＥＣＭＡ−２８８規格の付録Ｋには、認識穴パターンおよび関連するＤＤＳフォーマット世代１〜５と、各認識穴パターンにより表されるＤＡＴフォーマット（ＩＥＣ１１１９−１）とが規定されている。
【発明の開示】
【発明が解決しようとする課題】
【００１１】
このような認識穴の欠点は、提供される情報量が限られているため、テープ媒体フォーマットしかエンコードすることができないことと、認識穴パターンを機械的に感知するのは信頼性が比較的低く、機械的な故障の対象となり得ることである。
【課題を解決するための手段】
【００１２】
本発明は、テープドライブ装置用の媒体を提供する。この媒体は、情報を磁気的に記憶する磁気セグメントと、識別セグメントとを有する。識別セグメントは、媒体識別パターンと、識別セグメントを検出するためのセグメント識別パターンとを伝達する。
【００１３】
媒体識別パターンは、テープ媒体および／またはテープカートリッジのフォーマット世代、製造業者、テープ媒体シリアルナンバー、グローバルに一意な識別子（globally unique identifier：ＧＵＩＤ）、および／または、コードワードなどの様々な媒体識別情報のエンコードに使用することができる。たとえば、媒体識別パターンは、特定の機能、たとえば製造業者またはフォーマットに特有の機能をテープドライブ装置がイネーブルまたはディスエーブルするために使用されるコードワードを伝達することができる。
【００１４】
本発明の一実施形態によれば、識別セグメントは、テープ媒体の端部セグメントに配置される。端部セグメントは、テープ媒体のトレーラセグメントまたはリーダセグメント(leader segment)でありうる。媒体識別パターンはトレーラセグメントとリーダセグメントとの両方に配置することができるが、識別セグメントは少なくともリーダセグメントに配置されることが好ましい。これにより、テープ媒体がテープドライブ装置に装填されたときに、識別セグメントの検出および読み出しが容易になる。
【００１５】
本発明の一実施形態によれば、識別セグメントが配置される端部セグメントは透明である。媒体識別パターンおよびセグメント識別パターンは、少なくとも１つの不透明部分を有する。好ましくは、媒体識別パターンおよびセグメント識別パターンの不透明部分は、ストライプの形態を有する。
【００１６】
本発明のさらなる実施形態によれば、媒体識別情報は、テープの厚さ、テープコーティングの形成、および／または、テープ媒体に事前に記録されているか否かなどのテープ媒体の属性を示す。
【００１７】
別の態様では、本発明はテープドライブ装置に関する。テープドライブ装置は、装填されたテープ媒体とテープドライブ装置との間でデータを転送するデータ転送装置を有する。さらに、テープドライブ装置は、テープ媒体の識別セグメントを表す信号を提供する読み取り装置を有する。好ましくは、読み取り装置は、フォトダイオードと組み合わせられた光源等の光学読み取り装置である。読み取り装置によって提供される信号は、セグメント識別パターンの検出に使用される。セグメント識別パターンの検出に応答して媒体識別パターンがデコードされ、媒体識別情報が得られる。
【００１８】
本発明のさらなる実施形態によれば、テープドライブ装置は、予め規定されたセグメント識別パターンの検出に使用される参照パターンを記憶する不揮発性記憶装置を有する。マッチングするテープ媒体上のセグメント識別パターンを検出するために、読み取り装置の出力が参照パターンと比較される。
【００１９】
本発明のさらなる一実施形態によれば、テープドライブ装置は、媒体識別パターンから得られた媒体識別情報を記憶する記憶装置を有する。好ましくは、様々なテープ媒体から得られた媒体識別情報は、後の解析のためにログに記録される。
【００２０】
特定の維持時間間隔の後に、テープ媒体の品質監視および／または品質保証のために、ログを読み出して解析ツールに入力することができる。
【００２１】
本発明のさらなる実施形態によれば、テープドライブ装置は、予め規定されたコードワードが媒体識別パターンから得られたことに応答して、テープドライブ装置の機能をイネーブルまたはディスエーブルするコントローラを有する。たとえば、コードワードにより、テープ媒体が優れた品質であることを示すことができるため、テープドライブ装置の対応する動作モードが選択される。
【００２２】
さらに別の態様では、本発明は、情報を磁気的に記憶する磁気部分および光学的に読み取り可能なパターンを有するテープ媒体に関する。このパターンは、少なくとも２ビットの情報を伝達する。光学的に読み取り可能なパターンは、テープ媒体および／またはテープ媒体を収容したテープカートリッジに関連する各種の情報をエンコードするために使用することができる。たとえば、このパターンは、テープ媒体および／またはテープカートリッジの製造業者、テープフォーマット世代、一意の識別子、および／または、テープ媒体および／またはテープカートリッジの物理的もしくは機能的な属性を識別することができる。
【００２３】
本発明の一実施形態によれば、テープ媒体は、光学的に読み取り可能なパターンを配置することができる透明なリーダ部分およびトレーラ部分を有する。たとえば、パターンはリーダ部分、トレーラ部分、または、リーダ部分とトレーラ部分との両方に配置される。異なる種類の情報を伝達する異なるパターンをリーダ部分およびトレーラ部分に配置することも可能であり、および／または、同じパターンを１回もしくは数回繰り返して、パターンのうちの１つが破損したか読み出し不能である場合であっても、各情報を確実に読み出せるようにすることもできる。
【００２４】
さらに別の態様では、本発明は、複数の光学的可読パターンを指定するテープフォーマットに関する。読み取り可能なパターンのそれぞれは、少なくとも２ビットの情報を伝達する。さらに、テープフォーマットは、テープ媒体上の１以上の光学的に読み取り可能なパターンに許容される位置を指定することができる。
【００２５】
以下、本発明の好ましい実施形態について、図面を参照しながら単に例として説明する。
【発明を実施するための最良の形態】
【００２６】
図１に、テープ媒体１００の一部を示す。テープ媒体１００は、情報を磁気的に記憶する磁気テープコーティングを有する磁気セグメント１０２を備える。テープ媒体１００は、長さ１０４を有する識別セグメントを有する。本明細書において考える好ましい実施形態では、識別セグメントは、テープ媒体１００の光学的に透明なリーダセグメント１０６上に配置される。
【００２７】
識別セグメントは、媒体識別パターン１０８およびセグメント識別パターン１１０を有する。
【００２８】
媒体識別パターンは、透明なリーダセグメント上で光学的に検出することができる。たとえば、媒体識別パターン１０８は、媒体識別情報を伝達する不透明部分のパターンからなる。たとえば、媒体識別情報は、テープ媒体１００のフォーマット世代、テープ媒体１００の製造業者、シリアルナンバー、もしくはグローバルに一意な識別子、および／または、テープの厚さ、磁気テープコーティングの形成、もしくはテープ媒体１００に事前に記録されているか否かなどのテープ媒体１００の別の属性を示す。これに代えて、またはこれに加えて、媒体識別パターンが伝達する情報は、テープカートリッジフォーマット世代などのテープカートリッジに関連し、および／または、テープ媒体に加えてテープ媒体の収容に使用されるリールおよびシェルを含むカートリッジアセンブリの属性に関連する。
【００２９】
これに代えて、またはこれに加えて、１以上のコードワードを、様々な目的で媒体識別パターン１０８にエンコードすることができる。
【００３０】
セグメント識別パターン１１０は、透明リーダセグメント１０６上で光学的に検出可能な不透明部分のパターンからもなり得る。セグメント識別パターン１１０は、磁気セグメント１０２と媒体識別パターン１０８との間に配置される。セグメント識別パターン１１０は、媒体識別パターン１０８に対して所定の空間的関係を有しているので、セグメント識別パターン１１０の検出により、媒体識別パターン１０８の読み出しが容易になる。たとえば、セグメント識別パターン１１０は、媒体識別パターン１０８が後続することを示す同期ワードを伝達する。
【００３１】
図２に、テープ媒体のより詳細な実施形態を示す。図１の要素に対応する、図２の一実施形態の要素には、同様の参照番号が付されている。テープ媒体２００は、磁気セグメント２０２とリーダセグメント２０６とを接合するスプライシングテープ２１２を有する。リーダセグメント２０６は端部２１４を有し、スプライシングテープ２１２はこの端部２１４へと延びる。好ましくは、リーダセグメント２０６の端部２１４は不透明である。これには、様々な透明度のスプライシングテープを使用することができるという利点がある。特に、このことは、従来技術のように、スプライシングテープ２１２の透明度を規定の範囲内に制御する必要があるという品質の問題が解決される。
【００３２】
本明細書では、考えられる好ましい実施形態では、識別セグメントは、１１ビットをビット位置１〜１１において伝達する。図２に示すように、ビット位置１〜４は、セグメント識別パターン２１０の同期ワードを構成し、ビット位置５〜１１は、媒体識別パターン２０８が伝達するコードワードを構成する。ビット値「０」は、各ビット位置上の透明ストライプによって表され、ビット値論理「１」は、各ビット位置上の不透明ストライプによって表される。図２に示す例では、同期ワードは「０００１」であり、一意の鍵「０００」を含み、この一意の鍵の両端は不透明部分で括られている。コードワードは「０１１０１０１」である。
【００３３】
同期ワード内の一意の鍵は予め規定され、媒体識別パターン２０８では見られない。同期ワードは、リーダセグメント２０６上で検出されると、後続する媒体識別パターン２０８の位置を示す。さらに、同期ワードは、リーダセグメント２０６上の同期ワードが磁気セグメント２０２の冒頭に対して所定の空間的関係をも有する場合には、テープの物理的な開始（physical beginning of the tape：以下、「ＰＢＯＴ」とよぶ）の検出に使用することもできる。
【００３４】
テープ媒体２００が、リーダセグメント２０６に対応する透明トレーラセグメントを有する場合には、トレーラセグメントは完全に透明であってもよく、またはリーダセグメント２０６が伝達するものと同一の識別セグメントを伝達してもよいが、この場合には、順序は逆になる。すなわち、同期ワードはコードワードの右側になる。テープ媒体２００の走行方向に対して識別セグメントの向きが逆であることは、ＰＢＯＴフラグおよびＰＥＯＴ（physical ending of the tape、つまり、テープの物理的な端部）フラグとして同期ワードをそれぞれ使用することに役立つ。テープ媒体２００のトレーラセグメントは、異なる情報を示す異なるコードを有する同じパターンまたは同様のパターンを含みうる。
【００３５】
図３に、媒体識別パターン２０８の８１個の異なるコードワードを含むコード表を示す。図２にはコードワード「０１１０１０１」、すなわち図３の表中のコードワード番号２８を示すが、図２に示すタイプの別のテープ媒体２００は、図３の表に示すその他のコードワードのうちの任意の１つを有することがある。たとえば、各コードワードを製造業者に割り当てることや、テープ媒体２００、またはテープ媒体が収容されているカートリッジ筐体の別の属性を示すこともできる。識別セグメントを構成する透明ストライプおよび不透明ストライプの厚さが薄い場合、および／または、テープ媒体のリーダセグメントもしくはトレーラセグメントの長さが長い場合には、より長いコードワードが可能である。
【００３６】
図４に、コンピュータ４１８に結合されたテープドライブ装置４１６のブロック図を示す。テープドライブ装置４１６は、テープカートリッジ４２２の装填および取り出しを行い、リール４２４を回転させることによってデータを読み書きするために必要に応じてテープ媒体４００（図１のテープ媒体１００および図２のテープ媒体２００参照）を先送りする、または巻き戻すテープドライブ機構４２０を有する。ＤＤＳテープドライブでは、読み出し／書き込みヘッド４２６がヘリカルスキャンドラムに搭載され、ドラムが回転してヘッド４２６を掃引し、テープ媒体４００が、走行方向に対して斜めの動きでそのヘッド４２６を通過する。
【００３７】
さらに、テープドライブ機構４２０は、テープ媒体４００の光透過性を示す信号を送る光学センサ４２８を有する。たとえば、光学センサ４２８は、発光ダイオードと、テープ媒体４００を透過した光に対応する信号を測定する光検出器とを有する。光学センサ４２８の設計は、ＥＣＭＡ−２８８仕様の付録Ｂに準拠することができる。
【００３８】
テープドライブ装置４１６は、ファームウェア４３２を実行するプロセッサ４３０を有する。ファームウェア４３２は、テープ媒体４００の磁気的に符号化されたデータ記憶部分から／へのデータの読み出し／書き込みを行う命令４３４を含む（図１および図２の実施形態における磁気セグメント１０２および磁気セグメント２０２のそれぞれを参照のこと）。
【００３９】
命令４３６は、センサ４２８によって送られた信号内のセグメント識別パターン（図１および図２を参照）を検出するように機能する。命令４３８は、セグメント識別パターン後に続く媒体識別パターン（図１および図２参照）から得られたコードワードをデコードするデコーダを実施する。命令４４０は、所定のコードワードをセンサ４２８から受け取った場合にイネーブルされる、製造業者またはフォーマットに特有のソフトウェア機能を実施する。
【００４０】
テープドライブ装置４１６は、テープ媒体４００の識別セグメントの予め規定されたセグメント識別パターンと同一の、またはマッチングする参照パターン４４４を記憶する不揮発性記憶装置４４２を有する。さらに、記憶装置４４２は、ログ４４６の記憶装置としての役割も果たす。テープカートリッジがテープドライブ装置４１６に装填されるときに、ログエントリがログ４４６に作成される。
【００４１】
テープドライブ装置４１６は、ネットワーク４５０を介してテープドライブ装置４１６をコンピュータ４１８に結合するインターフェース４４８を有する。コンピュータ４１８は、バックアップアプリケーションプログラム４５４および解析ツール４５６を実行するプロセッサ４５２を有する。コンピュータ４１８には、モニタ４５８が結合される。
【００４２】
バックアップデータを記憶するには、またはそれまでに記憶したバックアップデータを復元するには、テープカートリッジ４２２がテープドライブ装置４１６に装填される。テープドライブ装置４１６の駆動スピンドル（図４に図示せず）がアクティブ化され、テープ媒体４００がヘッド４２６およびセンサ４２８を経て搬送される。
【００４３】
センサ４２８によって送られた信号は、命令４３６の実行により、記憶装置４４２に記憶されている参照パターン４４４と比較される。マッチングが検出される場合には、これは、セグメント識別パターンが見つかったことを意味する。媒体識別パターンが、予め規定された空間的関係をセグメント識別パターンに対して有する場合にも、媒体識別パターンを、センサ４２８によって提供された信号内で識別し、命令４３８によってデコードすることができる。
【００４４】
デコードされた媒体情報パターンは、ログ４４６に入力される。さらに、デコードされた情報パターンに含まれるコードワードは、予め規定されたコードワードと比較される。コードワードがマッチングする場合には、命令４４０が実行される。
【００４５】
好ましくは、テープドライブ装置４１６は、いわゆるリアルタイムクロック（ＲＴＣ）として実施することができる時間基準４６０を有する。ログ４４６に入力されるログエントリには、時間基準４６０によって提供される実時間値によってタイムスタンプが付けられる。
【００４６】
品質監視および／または品質保証のために、記憶装置４４２からログ４４６を読み出す要求を解析ツール４５６から受け取ったことに応答して、記憶装置４４２からログ４４６を読み出すことができる。解析ツール４５６により、ユーザが様々なテープカートリッジの過去の使用をレビューするために、ログ４４６の内容をモニタ４５８上に視覚化することができる。
【００４７】
図５に、図４のログ４４６の構造の実施形態を示す。表形式ログの各行が１つのログエントリに対応する。各ログエントリにはタイムスタンプが付けられ、各ログエントリは、各媒体識別パターンをデコードすることによって得られたテープシリアルナンバーおよび製造業者の名称を含む。
【００４８】
図６に、図４のテープドライブ装置４１６の動作を示すフローチャートを示す。ステップ６００において、テープカートリッジがテープドライブ装置に装填される。これに応答して、テープドライブ装置の駆動スピンドルがアクティブ化され、光学センサを経てテープ媒体を搬送する。ステップ６０２において、センサ出力が参照パターンと永続的に比較される。
【００４９】
センサ出力が参照パターンとマッチングされる場合には、制御はステップ６０４に進み、光学センサによって送られた信号から媒体識別パターンを読み出す。ステップ６０６において、媒体識別パターンを伝達する信号部分がデコードされる。ステップ６０８において、デコードされた媒体識別パターンをログに記憶する。これに代えて、またはこれに加えて、ステップ６１０において、デコードされた媒体識別パターンに含まれる媒体識別情報に応じて、製造業者に特有の機能がイネーブルまたはディスエーブルされる。
【図面の簡単な説明】
【００５０】
【図１】テープ媒体の第１の実施形態の部分図である。
【図２】テープ媒体のより詳細な第２の実施形態の部分図である。
【図３】図２のテープ媒体によって伝達されるコードワードを例示的に符号化したものである。
【図４】コンピュータに結合されたテープドライブ装置のブロック図である。
【図５】図４のテープドライブのログを示す概略図である。
【図６】テープ媒体からの媒体識別情報の読み出しに関わるステップを示すフローチャートである。
【図１】
2006048912.tif 000003
【図２】
2006048912.tif 000004
【図３】
2006048912.tif 000005
【図４】
2006048912.tif 000006
【図５】
2006048912.tif 000007
【図６】
2006048912.tif 000008